(57)【特許請求の範囲】
【請求項１】
送受話部と、第１の世帯の玄関先に設置される第１のドアホン子器を通信回線を介して接続する第１接続部と、第２の世帯の玄関先に設置される第２のドアホン子器を通信回線を介して接続する第２接続部と、自分自身の属する世帯を設定する世帯設定部とを備える親機と、親機と通信回線を介して接続され、送受話部と、自分自身の属する世帯を設定する世帯設定部とを備える副親機と、を含んでなるインターホン装置であって、前記世帯設定部を、第１の世帯の第１グループと、第２の世帯の第２グループと、第１の世帯と第２の世帯とを纏めた第３グループとのいずれかを択一して設定できるものにするとともに、前記親機に、いずれか一つの世帯設定部でも第３グループに設定されると、世帯内通話のみが可能な通常モードから世帯間通話が可能な留守モードへインターホン装置を切り換える留守モード手段を設け、同留守モード手段を、世帯内通話のみが可能な通常モードから予め定められた所定時間のみ世帯間一斉通話が可能になる留守モードへインターホン装置を切り換えるものとしたことを特徴とするインターホン装置。
【請求項２】
留守モードであることを報知するための留守表示部を前記親機と前記副親機とにそれぞれ付加した請求項１記載のインターホン装置。
【請求項３】
前記留守表示部を、何方の世帯の世帯設定部の選択により留守モードになっているのかを識別可能に表示するものとした請求項２記載のインターホン装
置。
【発明の詳細な説明】
【０００１】
【発明の属する技術分野】
本発明は、二世帯住宅に用いて便利なインターホン装置に関する。
【０００２】
【従来の技術】
近年老人人口が増加している。それに伴って、老人夫婦と若夫婦とが隣り合って生活できる二世帯住宅が脚光を浴びている。二世帯住宅では、玄関、台所、風呂、トイレ、電話装置、インターホン装置などが２セットづつそれぞれ独立して必要になる。しかしながら、インターホン装置などにあっては、二世帯間がそれぞれ独立して機能し、異なる世帯間では通話ができない方が好ましい場合と、同一世帯では勿論のこと異なる世帯間でも双方で通話が可能な方が好ましい場合とがある。
【０００３】
特に、何方か一方の世帯が留守にするような場合、二世帯間でその旨を連絡しあえるとともに、留守世帯の玄関へ来訪する来訪者に対しても在宅世帯が適宜応対できることは、二世帯住宅における生活の利便性向上の上で重要なポイントであると思われる。
【０００４】
【発明が解決しようとする課題】
しかしながら、あるときは二世帯間がそれぞれ独立して使用でき、あるときは二世帯間で双方に使用できるというように、必要に応じて切り換えて使用できる利便性に優れるインターホン装置は、いまだかってなかったという問題点があった。
【０００５】
本発明は上記の問題点を解決するためになされたもので、その目的とするところは、二世帯住宅における生活の利便性の向上を図ることのできる、優れるインターホン装置を提供することにある。
【０００６】
【課題を解決するための手段】
本発明は上記の問題点を解決するため、請求項１記載の発明にあっては、送受話部と、第１の世帯の玄関先に設置される第１のドアホン子器を通信回線を介して接続する第１接続部と、第２の世帯の玄関先に設置される第２のドアホン子器を通信回線を介して接続する第２接続部と、自分自身の属する世帯を設定する世帯設定部とを備える親機と、親機と通信回線を介して接続され、送受話部と、自分自身の属する世帯を設定する世帯設定部とを備える副親機と、を含んでなるインターホン装置であって、前記世帯設定部を、第１の世帯の第１グループと、第２の世帯の第２グループと、第１の世帯と第２の世帯とを纏めた第３グループとのいずれかを択一して設定できるものにするとともに、前記親機に、いずれか一つの世帯設定部でも第３グループに設定されると、世帯内通話のみが可能な通常モードから世帯間通話が可能な留守モードへインターホン装置を切り換える留守モード手段を設けている。
【０００７】
そして、請求項１記載の発明にあっては、前記留守モード手段を、世帯内通話のみが可能な通常モードから予め定められた所定時間のみ世帯間一斉通話が可能になる留守モードへインターホン装置を切り換えるものとしたことを特徴とする。
【０００８】
請求項２記載の発明にあっては、留守モードであることを報知するための留守表示部を前記親機と前記副親機とにそれぞれ付加した。
【０００９】
請求項３記載の発明にあっては、前記留守表示部を、何方の世帯の世帯設定部の選択により留守モードになっているのかを識別可能に表示するものとした。
【００１０】
【発明の実施の形態】
以下、本発明に係るインターホン装置の一実施の形態を、図１〜図３に基づいて詳細に説明する。図１はインターホン装置の概要を示すシステム構成図、図２はインターホン装置の要部を示すブロック図、図３はインターホン装置の動作を説明するタイミングチャートである。
【００１１】
図１に示すように、このインターホン装置は、１台の親機Ａと、６台の副親機Ｂ１，…Ｂ６  と、２台のドアホン子器Ｃ１，Ｃ２  とを備える。親機Ａは、例えば、第１の世帯の居間などに設置する。副親機Ｂ１，…Ｂ３  は、例えば、第１の世帯の寝室、台所、客室にそれぞれ設置する。副親機Ｂ４，…Ｂ６  は、例えば、第２の世帯の居間、寝室、台所にそれぞれ設置する。ドアホン子器Ｃ１  は、例えば、第１の世帯の玄関先に設置する。ドアホン子器Ｃ２  は、例えば、第２の世帯の玄関先に設置する。
【００１２】
図２に示すように、親機Ａは、送受話部Ａａ  と、モニタテレビＡｂ  と、通話スイッチＡｃ  と、世帯設定部Ａｄ  と、一斉通話操作部Ａｅ  と、留守表示灯Ａｆ１，  Ａｆ２からなる留守表示部Ａｆ  と、第１接続部Ａｇ  と、第２接続部Ａｈ  と、時限設定部Ａｉ  と、制御用マイコンＡｊ  と、通信回路Ａｋ  とを備える。
【００１３】
送受話部Ａａ  は、副親機Ｂ１，…Ｂ６  の送受話部Ｂ１ａ，  …Ｂ６ａとの間、ドアホン子器Ｃ１，Ｃ２  の送受話部Ｃ１ａ，  Ｃ２ａとの間で通話を行うためのものであり、マイクロホンＡａ１とスピーカＡａ２と送受話回路Ａａ３とを備える。モニタテレビＡｂ  は、玄関先の来訪者をモニターするためのもので、ドアホン子器Ｃ１，Ｃ２  に設けたテレビカメラＣ１ｂ，  Ｃ２ｂの撮像する映像を映し出す。通話スイッチＡｃ  は、玄関先に訪れた来訪者のドアホン子器Ｃ１，Ｃ２  の呼出釦Ｃ１ｃ，  Ｃ２ｃの押圧操作による呼出音の鳴動に対し、住人が住戸内から応答して来訪者と通話する場合に押圧操作するものである。世帯設定部Ａｄ  は、親機Ａ自身の属する世帯（グループ）を設定するものであり、第１の世帯の第１グループと、第２の世帯の第２グループと、第１の世帯と第２の世帯とを纏めた第３グループとのいずれかを摘みＰで選択して設定するようにされている。一斉通話操作部Ａｅ  は、一斉通話を行うときに押圧操作をするものであり、親機Ａと副親機Ｂ１，…Ｂ６  との世帯設定部Ａｄ，Ｂ１ｄ，  …Ｂ６ｄの中の一つでも第１の世帯と第２の世帯とを纏めた第３グループに設定されていない限り、押圧操作しているときは世帯（グループ）内での一斉通話が可能であり、世帯設定部Ａｄ，Ｂ１ｄ，  …Ｂ６ｄの中の一つでも第１の世帯と第２の世帯とを纏めた第３グループに設定されてインターホン装置が留守モードになれば、押圧操作しているときは世帯（グループ）間での一斉通話が可能である。留守表示部Ａｆ  は、インターホン装置が留守モードであるときに点灯するもので、第１の世帯からの留守要求で留守モードになった場合に点灯する留守表示灯Ａｆ１と、第２の世帯からの留守要求で留守モードになった場合に点灯する留守表示灯Ａｆ２とから構成されている。第１接続部Ａｇ  は、第１の世帯のドアホン子器Ｃ１  を接続する部分である。第２接続部Ａｈ  は、第２の世帯のドアホン子器Ｃ２  を接続する部分である。時限設定部Ａｉ  は、通常モードから留守モードへモード変更されたときに自動的に予め定めた所定時間のみ世帯間で一斉通話が可能となる時限付き世帯間一斉通話機能の、時限時間を設定する部分である。制御用マイコンＡｊ  は、マイクロプロセッサを含んで構成され、親機Ａ全体を制御するとともにインターホン装置全体を統括する。通信回路Ａｋ  は、制御用マイコンＡｊ  からの指示に基づいて制御データや音声信号の授受を行う。
【００１４】
図２に示すように、副親機Ｂ１  は、送受話部Ｂ１ａと、モニタテレビＢ１ｂと、通話スイッチＢ１ｃと、世帯設定部Ｂ１ｄと、一斉通話操作部Ｂ１ｅと、留守表示灯Ｂ１ｆ１，Ｂ１ｆ２  からなる留守表示部Ｂ１ｆと、制御用マイコンＢ１ｊと、通信回路Ｂ１ｋとを備える。なお、副親機Ｂ２，…Ｂ６  についても同様であるので詳しい説明は省略する。
【００１５】
送受話部Ｂ１ａは、親機Ａの送受話部Ａａ  との間、副親機Ｂ２，…Ｂ６  の送受話部Ｂ２ａ，  …Ｂ６ａとの間、ドアホン子器Ｃ１，Ｃ２  の送受話部Ｃ１ａ，  Ｃ２ａとの間で通話を行うためのものであり、マイクロホンＢ１ａ１  とスピーカＢ１ａ２  と送受話回路Ｂ１ａ３  とを備える。モニタテレビＢ１ｂは、玄関先の来訪者をモニターするためのもので、ドアホン子器Ｃ１，Ｃ２  に設けたテレビカメラＣ１ｂ，  Ｃ２ｂの撮像する映像を映し出す。通話スイッチＢ１ｃは、玄関先に訪れた来訪者のドアホン子器Ｃ１，Ｃ２  の呼出釦Ｃ１ｃ，  Ｃ２ｃの押圧操作による呼出音の鳴動に対し、住人が住戸内から応答して来訪者と通話する場合に押圧操作するものである。世帯設定部Ｂ１ｄは、副親機Ｂ１  自身の属する世帯（グループ）を設定するものであり、第１の世帯の第１グループと、第２の世帯の第２グループと、第１の世帯と第２の世帯とを纏めた第３グループとのいずれかを摘みＰで選択して設定するようにされている。一斉通話操作部Ｂ１ｅは、一斉通話を行うときに押圧操作をするものであり、親機Ａと副親機Ｂ１，…Ｂ６  との世帯設定部Ａｄ，Ｂ１ｄ，  …Ｂ６ｄの中の一つでも第１の世帯と第２の世帯とを纏めた第３グループに設定されていない限り、押圧操作しているときは世帯（グループ）内での一斉通話が可能であり、世帯設定部Ａｄ，Ｂ１ｄ，  …Ｂ６ｄの中の一つでも第１の世帯と第２の世帯とを纏めた第３グループに設定されてインターホン装置が留守モードになれば、押圧操作しているときは世帯（グループ）間での一斉通話が可能である。留守表示部Ｂ１ｆは、インターホン装置が留守モードであるときに点灯するもので、第１の世帯からの留守要求で留守モードになった場合に点灯する留守表示灯Ｂ１ｆ１  と、第２の世帯からの留守要求で留守モードになった場合に点灯する留守表示灯Ｂ１ｆ２  とから構成される。制御用マイコンＢ１ｊは、マイクロプロセッサを含んで構成され、副親機Ｂ１  全体を制御する。通信回路Ｂ１ｋは、制御用マイコンＢ１ｊからの指示に基づいて制御データや音声信号の授受を行う。なお、副親機Ｂ２，…Ｂ６  についても同様であるので詳しい説明は省略する。
【００１６】
次に接続関係を説明する。図２に示すように、制御用マイコンＡｊ  は、送受話部Ａａ  と、モニタテレビＡｂ  と、通話スイッチＡｃ  と、世帯設定部Ａｄ  と、一斉通話操作部Ａｅ  と、留守表示灯Ａｆ１，  Ａｆ２と、第１接続部Ａｇ  と、第２接続部Ａｈ  と、時限設定部Ａｉ  と、通信回路Ａｋ  とに接続している。第１接続部Ａｇ  には通信回線Ｌ１  を介してドアホン子器Ｃ１  が接続し、第２接続部Ａｈ  には通信回線Ｌ２  を介してドアホン子器Ｃ２  が接続する。通信回路Ａｋ  は、通信回線Ｌ３  を介して、副親機Ｂ１  の通信回路Ｂ１ｋと副親機Ｂ４  の通信回路Ｂ４ｋとに接続する。また、制御用マイコンＢ１ｊは、送受話部Ｂ１ａと、モニタテレビＢ１ｂと、通話スイッチＢ１ｃと、世帯設定部Ｂ１ｄと、一斉通話操作部Ｂ１ｅと、留守表示灯Ｂ１ｆ１，Ｂ１ｆ２  と、通信回路Ｂ１ｋとに接続している。
【００１７】
上述のように構成されるインターホン装置は、次のように運用され、次のように動作する。すなわち、例えば、インターホン装置の親機Ａおよび副親機Ｂ１，…Ｂ６  のそれぞれの世帯設定部Ａｄ，Ｂ１ｄ，  …Ｂ６ｄの摘みＰを図１に示すようにそれぞれスライドすれば、親機Ａと副親機Ｂ１，…Ｂ３  とは第１の世帯に設定され、副親機Ｂ４，…Ｂ６  は第２の世帯に設定される。そして、ドアホン子器Ｃ１  の呼出釦Ｃ１ｃの押圧操作による呼び出しに対しては第１の世帯に属する親機Ａおよび副親機Ｂ１，…Ｂ３  の呼出音のみしか鳴動しないとともに、ドアホン子器Ｃ１  を介しての来訪者との通話も第１の世帯に属する親機Ａおよび副親機Ｂ１，…Ｂ３  からしか行えないし、ドアホン子器Ｃ２  の呼出釦Ｃ２ｃの押圧操作による呼び出しに対しては第２の世帯に属する副親機Ｂ４，…Ｂ６  の呼出音のみしか鳴動しないとともに、ドアホン子器Ｃ２  を介しての来訪者との通話は第２の世帯に属する副親機Ｂ４，…Ｂ６  からしか行えないものの、世帯設定部Ａｄ，Ｂ１ｄ，  …Ｂ６ｄの中の一つでも摘みＰが第３グループに設定されて、このインターホン装置が全体に留守モードになると、世帯の如何にかかわらず、ドアホン子器Ｃ１，Ｃ２  の呼出釦Ｃ１ｃ，  Ｃ２ｃの押圧操作による呼出音は親機Ａおよび副親機Ｂ１，…Ｂ６  のいずれからも鳴動するし、ドアホン子器Ｃ１，Ｃ２  を介しての来訪者との通話も親機Ａおよび副親機Ｂ１，…Ｂ６  のいずれからも行うことができる。また、インターホン装置が留守モードに変化した当初の所定時間すなわち時限設定部Ａｉ  にて予め設定した例えば１０秒間は、親機Ａおよび副親機Ｂ１，…Ｂ６  のいずれとも一斉に通話可能になる時限付き世帯間一斉通話機能が、親機Ａの制御用マイコンＡｊ  の指示により作動する。
【００１８】
従って、図１に示すように、親機Ａと副親機Ｂ１，…Ｂ３  とを第１の世帯に設定するとともに、副親機Ｂ４，…Ｂ６  を第２の世帯に設定して運用しているものとすると、来訪者が第１の世帯に訪れてドアホン子器Ｃ１  の呼出釦Ｃ１ｃを押すと、第１の世帯に属する親機Ａと副親機Ｂ１，…Ｂ３  とが呼出音を鳴動し、第２の世帯に属する副親機Ｂ４，…Ｂ６  は呼出音を鳴動しない。そこで、第１の世帯の台所に居た住人が来訪者に気付き、例えば台所の副親機Ｂ２  の通話スイッチＢ２ｃを押して、ドアホン子器Ｃ１  の呼出釦Ｃ１ｃを押した来訪者に対して応対することになる。
【００１９】
また、第２の世帯の台所で食事の用意の整った奥さんが、例えば台所の副親機Ｂ６  の一斉通話操作部Ｂ６ｅを押すと、第２の世帯に属する副親機Ｂ４，…Ｂ６  は、一斉に呼出音を鳴動した後、世帯内一斉通話の状態になる。そこで、奥さんが、食事の用意の整った旨を副親機Ｂ６  の送受話部Ｂ６ａから告げると、そのメッセージは副親機Ｂ４，Ｂ５  の送受話部Ｂ４ａ，  Ｂ５ａから一斉に出力される。
【００２０】
ところで、第２の世帯の住人全員が留守になるような場合にあっては、例えば居間の副親機Ｂ４  の世帯設定部Ｂ４ｄの摘みＰを第３グループの位置にスライドする。すると、インターホン装置全体すなわち親機Ａと副親機Ｂ１，…Ｂ６  とが留守モードに切り換わるとともに、第２の世帯から留守モードの要求がなされた旨を示すために、親機Ａと副親機Ｂ１，…Ｂ６  との全ての留守表示灯Ａｆ２，  Ｂ１ｆ２，…Ｂ６ｆ２  が点灯して、例えば１０秒間の時限付き世帯間一斉通話機能が開始されるので、ここで第２の世帯の住人が「留守にします」とのメッセージを副親機Ｂ４  の送受話部Ｂ４ａに向かって単に告げるだけで、そのメッセージは親機Ａおよび副親機Ｂ１，…Ｂ３，Ｂ５，Ｂ６  の送受話部Ａａ，Ｂ１ａ，  …Ｂ３ａ，  Ｂ５ａ，  Ｂ６ａから一斉に出力される。そのメッセージを聞いた居間に居た第１の世帯の住人が「了解しました」とのメッセージを親機Ａの送受話部Ａａ  に向かって単に告げると、この第１の世帯の住人のメッセージは副親機Ｂ１，…Ｂ６  の送受話部Ｂ１ａ，  …Ｂ６ａから一斉に出力され、第１の世帯の住人と第２の世帯の住人との意志疎通が図れ、時限付き世帯間一斉通話が開始してから所定時間である１０秒間が経過すると、自動的に世帯間一斉通話は終了して電力の無駄な消費を防止する。そして、第２の世帯の住人は、安心して外出できることになる。このとき、インターホン装置の世帯間一斉通話の状態は解除されているものの、留守モードは継続しており、全ての留守表示灯Ａｆ２，  Ｂ１ｆ２，…Ｂ６ｆ２  の点灯は継続している。なお、時限付き世帯間一斉通話が終了してからでも、一斉通話操作部Ａｅ，Ｂ１ｅ，  …Ｂ６ｅを押すことにより世帯間の一斉通話を行うことができる。
【００２１】
ここで、第２の世帯に来訪者が訪れてドアホン子器Ｃ２  の呼出釦Ｃ２ｃの押圧操作を行うと、第１の世帯に属する親機Ａおよび副親機Ｂ１，…Ｂ３  と第２の世帯に属する副親機Ｂ４，…Ｂ６  とは一斉に呼出音を鳴動する。そこで、第１の世帯の住人は、親機Ａあるいは副親機Ｂ１，…Ｂ３  の通話スイッチＡｃ，Ｂ１ｃ，  …Ｂ３ｃを押すことで、第２の世帯に訪れた来訪者とドアホン子器Ｃ２  を介して通話することができ、第２の世帯の住人が帰ってきてから用件を取り次ぐことができる。
【００２２】
ところで、留守にしていた第２の世帯の住人が帰ってきて副親機Ｂ４，…Ｂ６  を見ると、副親機Ｂ４，…Ｂ６  のそれぞれの留守表示灯Ｂ４ｆ２，…Ｂ６ｆ２  が点灯しているので、自分達が出かけるときにインターホン装置を留守モードにしていったこに気付き、副親機Ｂ４  の世帯設定部Ｂ４ｄの摘みＰを第３グループの位置から第２グループの位置へ戻す。すると、親機Ａおよび副親機Ｂ１，…Ｂ６  の留守表示灯Ａｆ２，  Ｂ１ｆ２，…Ｂ６ｆ２  は消灯するし、インターホン装置は通常モードに戻る。
【００２３】
なお、本発明は上記の実施の形態のインターホン装置に限定されるものではなく、特許請求の範囲内で適宜変形が可能であり、上記の実施の形態のインターホン装置にあっては、留守表示部は表示灯を２個備えるものとされているが、１個の表示灯で点灯色を変えることができるようなものであっても良い。また、第１の世帯に属するものが親機Ａのみ、第２の世帯に属するものが副親機Ｂ１  のみ、のような最も簡単なインターホン装置であっても良い。
【００２４】
【発明の効果】
請求項１記載の発明によれば、必要に応じてあるときは二世帯間がそれぞれ独立して使用でき、あるときは二世帯間で双方で使用できて二世帯住宅における生活の利便性の向上を図ることができ、しかも世帯設定部で留守モードにすることができるので特別にモード設定部を設ける必要が無く、構造的に簡素化することができ、使い勝手の良い優れたインターホン装置を提供できるという効果を奏する。
【００２５】
請求項１記載の発明によれば、上記の効果に加えて更に、留守モードへ変更した際に、所定時間の間だけ自動的に世帯間一斉通話にすることができるので、何ら操作すること無く単に喋るだけで世帯間の意志疎通が簡単に図れる、使い勝手の良い優れたインターホン装置を提供できるという効果を奏する。
【００２６】
請求項２記載の発明によれば、請求項１記載の発明の効果に加えて更に、帰宅した際に留守モードであることに気付いて、忘れずに留守モードを元へ戻すことができる、使い勝手の良い優れたインターホン装置を提供できるという効果を奏する。
【００２７】
請求項３記載の発明によれば、請求項２記載の発明の効果に加えて更に、何方の世帯から留守モードが要求されているのかを簡単に認知できる、使い勝手の良い優れたインターホン装置を提供できるという効果を奏する。
【図面の簡単な説明】
【図１】本発明に係る一実施の形態のインターホン装置の概要を示すシステム構成図である。
【図２】上記インターホン装置の要部を示すブロック図である。
【図３】上記インターホン装置の動作を説明するタイミングチャートである。
【符号の説明】
Ａ      親機
Ａａ      親機の送受話部
Ａｄ      親機の世帯設定部
Ａｅ      親機の一斉通話操作部
Ａｆ      親機の留守表示部
Ａｇ      第１接続部
Ａｈ      第２接続部
Ｂｎ      副親機（但しｎは１，…６の整数）
Ｂｎａ    副親機の送受話部（但しｎは１，…６の整数）
Ｂｎｄ    副親機の世帯設定部（但しｎは１，…６の整数）
Ｂｎｅ    副親機の一斉通話操作部（但しｎは１，…６の整数）
Ｂｎｆ    副親機の留守表示部（但しｎは１，…６の整数）
Ｃｎ      ドアホン子器（但しｎは１，２の整数）
Ｃｎａ    ドアホン子器の送受話部（但しｎは１，２の整数）
Ｌｎ      通信回線（但しｎは１，…３の整数）
【図１】
0003617271.tif 000002
【図２】
0003617271.tif 000003
【図３】
0003617271.tif 000004